(57)【要約】  本発明の情報処理機器間の接続設定システムは、他の機器間の接続に必要な設定情報を一括管理すると共に他装置からの要求に応じて要求された設定情報を配付するネットワーク上のサーバ装置と、前記サーバ装置に情報を送信する通信装置とを備える。前記通信装置は、他の機器との接続に必要な設定情報の所在場所を示す、表示または印刷されたコード情報を読み取り可能にする第１読取部と、前記コード情報を読み取る第２読取部と、前記コード情報を前記設定情報の所在場所に変換する変換部と、前記設定情報の所在場所から前記設定情報を取得する取得部と、前記設定情報に基づいて接続設定を行う接続設定部とを備える。
2011052778.tif 000002
【特許請求の範囲】
【請求項１】
他の機器間の接続に必要な設定情報を一括管理すると共に他装置からの要求に応じて要求された設定情報を配付するネットワーク上のサーバ装置と、前記サーバ装置に情報を送信する通信装置とを備え、
前記通信装置は、
他の機器との接続に必要な設定情報の所在場所を示す、表示または印刷されたコード情報を読み取り可能にする第１読取部と、
前記コード情報を読み取る第２読取部と、
前記コード情報を前記設定情報の所在場所に変換する変換部と、
前記設定情報の所在場所から前記設定情報を取得する取得部と、
前記設定情報に基づいて接続設定を行う接続設定部と、
を備える情報処理機器間の接続設定システム。
【請求項２】
前記コード情報に示された前記所在場所の情報は、前記サーバ装置が備える記憶場所のＵＲＩ（Universal Resource Identifier ）情報であるか、若しくは前記サーバ装置のＵＲＩ情報である請求項１記載の情報処理機器間の接続設定システム。
【請求項３】
前記コード情報は、前記サーバ装置が備える設定ソフトウェアを格納する記憶場所のＵＲＩ情報であるか、若しくは前記サーバ装置のＵＲＩ情報である請求項１記載の情報処理機器間の接続設定システム。
【請求項４】
前記コード情報は、前記ＵＲＩ情報を画像情報にエンコードした情報である請求項２または請求項３記載の情報処理機器間の接続設定システム。
【請求項５】
前記通信装置は、
前記設定情報を、前記サーバ装置に送信する送信部
を更に備える請求項１乃至４のいずれか一項に記載の情報処理機器間の接続設定システム。
【請求項６】
他の機器との接続に必要な設定情報の所在場所を示すコード情報を読み取る読取部と、
前記コード情報を前記設定情報の所在場所に変換する変換部と、
前記設定情報の所在場所から前記設定情報を取得する取得部と、
前記取得した設定情報に基づいて接続設定を行う接続設定部と、
を備える通信装置。
【請求項７】
前記コード情報に示された前記所在場所の情報は、ネットワーク上に置かれた前記設定情報を格納する記憶場所のＵＲＩ（Universal Resource Identifier ）情報であるか、若しくは前記設定情報を保持するサーバ装置のＵＲＩ情報である請求項６記載の通信装置。
【請求項８】
前記コード情報は、ネットワーク上に置かれた設定ソフトウェアを格納する記憶場所のＵＲＩ情報であるか、若しくは前記設定ソフトウェアを保持するサーバ装置のＵＲＩ情報である請求項６記載の通信装置。
【請求項９】
前記コード情報は、前記ＵＲＩ情報を画像情報にエンコードした情報である請求項７または請求項８記載の通信装置。
【請求項１０】
他の機器間の接続に必要な設定情報を記憶するデータベース部と、
前記設定情報を入力する入力部と、
前記設定情報の所在場所を示すコード情報を生成する生成部と、
前記コード情報を出力する出力部と、
前記設定情報を、設定情報を一括管理する外部のサーバ装置に送信する設定送信部と、
を備える設定情報識別子出力装置。
【請求項１１】
前記コード情報に示された前記所在場所の情報は、ネットワーク上に置かれた前記設定情報を格納する記憶場所のＵＲＩ（Universal Resource Identifier ）情報であるか、若しくは前記設定情報を保持するサーバ装置のＵＲＩ情報である請求項１０記載の設定情報識別子出力装置。
【請求項１２】
前記コード情報は、ネットワーク上に置かれた設定用のソフトウェアを格納する記憶場所のＵＲＩ情報であるか、若しくは前記設定用のソフトウェアを保持するサーバ装置のＵＲＩ情報である請求項１０記載の設定情報識別子出力装置。
【請求項１３】
前記コード情報は、前記ＵＲＩ情報を画像情報にエンコードした情報である請求項１１または請求項１２記載の設定情報識別子出力装置。
【請求項１４】
他の機器との接続に必要な設定情報の所在場所を示すコード情報を読み取るステップと、
前記コード情報を前記設定情報の所在場所に変換するステップと、
前記設定情報の所在場所から前記設定情報を取得するステップと、
前記取得した設定情報に基づいて接続設定を行うステップと、
を有する情報処理機器間の接続設定方法。
【請求項１５】
他の機器間の接続に必要な設定情報を記憶するステップと、
前記設定情報を入力するステップと、
前記設定情報の所在場所を示すコード情報を生成するステップと、
前記コード情報を出力するステップと、
前記設定情報を、設定情報を一括管理する外部のサーバ装置に送信するステップと、
を有する情報処理機器間の接続設定方法。
【請求項１６】
他の機器との接続に必要な設定情報の所在場所を示すコード情報を読み取るステップと、
前記コード情報を前記設定情報の所在場所に変換するステップと、
前記設定情報の所在場所から前記設定情報を取得するステップと、
前記取得した設定情報に基づいて接続設定を行うステップと、
を有し、他の機器との接続設定をコンピュータに実行させるコンピュータプログラム。
【請求項１７】
他の機器間の接続に必要な設定情報を入力するステップと、
前記設定情報の所在場所を示すコード情報を生成するステップと、
前記コード情報を出力するステップと、
前記設定情報を、設定情報を一括管理する外部のサーバ装置に送信するステップと、
を有し、情報処理機器間の接続設定をコンピュータに実行させるコンピュータプログラム。
【発明の詳細な説明】
【技術分野】
【０００１】
本発明は、情報処理機器間の接続設定システム、通信装置、設定情報識別子出力装置、情報処理機器間の接続設定方法、及びコンピュータプログラムに関する。
【背景技術】
【０００２】
近年、ＰＣ（パーソナルコンピュータ）等の情報処理機器の普及している。これに伴い、プロジェクタなどの画像表示装置に、ＰＣを接続して、ＰＣが保有する映像を映し出し、大人数で会議を行う利用形態が頻繁に見られる。
複数人が参加する会議では、プロジェクタの使用者や所有者が変わる度に参加者各人がＰＣにケーブルを接続し直す必要が生じて、作業が煩雑になることがある。このため、ＰＣとプロジェクタの間の通信接続は、配線が不要な無線通信手段により接続する利用形態の方が望ましいと考えられる。
しかし、無線ＬＡＮ（Local Area Network）や、Bluetoothなどの無線通信規格に基づく接続方法では、セキュリティや混信などに備えて、接続するための設定が多数必要であり、設定手続きが複雑になる。例えば、無線ＬＡＮを介してプロジェクタに通信接続するための接続情報には、プロジェクタのＩＰアドレスや、複数の識別子、および通信データの暗号化技術であるＷＰＡ（Wi-Fi PROTECTED Access）におけるパスフレーズなどが有る。この複数の識別子は、接続するアクセスポイント名を示すＥＳＳＩＤ（Extended Service Set Identifier）などである。【０００３】
情報処理機器間の接続設定を行うためには、例えばプロジェクタを使用する場合、予めプロジェクタの接続情報を調べておかなければならない。また、予めその接続情報を把握していたとしても、ネットワーク設定に関する知識が無い場合には正しい設定を行うことは困難であった。
さらに、今日では、無線通信装置を搭載した携帯電話器、ゲーム機、ＰＤＡ（Personal Digital Assistant）などの携帯端末装置が多数商品化されている。特にＰＣの持ち運びなどに制約が課される場合において、携帯電話器やＰＤＡなどにプレゼンテーション用のデータだけを入れて取引先を訪問し、その取引先において、携帯端末装置とプロジェクタのみでプレゼンテーションを行いたいという要望が有る。【０００４】
このような課題に対処するため、特許文献１に開示されている技術では、無線ＬＡＮを利用する無線ＬＡＮスポットにおいて、予め情報配付媒体を介して、アクセスポイントへアクセスするための接続情報を、広く一般ユーザに配付している。この場合、無線ＬＡＮスポットへの接続を希望するユーザは、移動通信端末装置を用いて、この接続のための情報を読み取って、無線ＬＡＮスポットへの接続を行う。【０００５】
特許文献２に開示されている技術では、一方の電子機器から他方の電子機器に簡便にアクセスするための技術が開示されている。即ち、特許文献２に開示されている画像表示システムでは、無線ＬＡＮにおいてプロジェクタにアクセスするのに必要な接続情報を２次元コード化した接続情報コードを生成し、その接続情報コードをプロジェクタに投射している。この場合、携帯端末装置は、撮像部により接続情報コードを撮像すると、撮像した接続情報コードを含む画像を解析し、接続情報を抽出する。そして、その抽出された接続情報を用いて無線ＬＡＮに対応したプロジェクタにアクセスする。
【先行技術文献】
【特許文献】
【０００６】
【特許文献１】日本国特開２００５−３４７９８１号公報
【特許文献２】日本国特開２００７−３１２１７９号公報
【発明の概要】
【発明が解決しようとする課題】
【０００７】
しかしながら、上記背景技術で述べた既成の通信装置および情報処理機器間の接続設定にあっては、現状の無線ＬＡＮスポットシステムを利用する場合、前述のとおり、ユーザにとって、無線ＬＡＮ接続設定情報の入力手続きが煩雑である。そのため、無線ＬＡＮスポットサービスの利用が伸び悩んでおり、その改良が望まれている。この問題点に対する前述の特許文献１及び特許文献２に開示の技術では、前述のとおり、設定情報を、例えば、バーコード化して埋め込んだものを情報配付媒体やプロジェクタに表示し、この設定情報を読み取ってコンピュータ等の情報処理装置へ自動的に入力している。このようにバーコード等に直接設定情報を埋め込んでいるので一度生成された設定情報は変更できない。また、設定情報の量を増やしたい場合、バーコード等に設定情報を埋め込み切れなくなる。さらに、秘匿したい情報が有る場合、バーコード等に情報を埋め込んでしまうと、この情報が漏洩してしまう可能性がある。【０００８】
本発明は、上記問題点に鑑みてなされた。本発明は、設定情報を画像として配布する際に、設定情報の変更や量の増加に対応可能とすると共に、設定情報が漏洩するといった問題点を解消することができる、情報処理機器間の接続設定システム、通信装置、設定情報識別子出力装置、及び情報処理機器間の接続設定方法を提供することを目的の一例としている。
【課題を解決するための手段】
【０００９】
本発明の第１の実施態様に係る情報処理機器間の接続設定システムは、他の機器間の接続に必要な設定情報を一括管理すると共に他装置からの要求に応じて要求された設定情報を配付するネットワーク上のサーバ装置と、前記サーバ装置に情報を送信する通信装置とを備える。前記通信装置は、他の機器との接続に必要な設定情報の所在場所を示す、表示または印刷されたコード情報を読み取り可能にする第１読取部と、前記コード情報を読み取る第２読取部と、前記コード情報を前記設定情報の所在場所に変換する変換部と、前記設定情報の所在場所から前記設定情報を取得する取得部と、前記設定情報に基づいて接続設定を行う接続設定部とを備える。【００１０】
本発明の第２の実施態様に係る通信装置は、他の機器との接続に必要な設定情報の所在場所を示すコード情報を読み取る読取部と、前記コード情報を前記設定情報の所在場所に変換する変換部と、前記設定情報の所在場所から前記設定情報を取得する取得部と、前記取得した設定情報に基づいて接続設定を行う接続設定部とを備える。【００１１】
本発明の第３の実施態様に係る設定情報識別子出力装置は、他の機器間の接続に必要な設定情報を記憶するデータベース部と、前記設定情報を入力する入力部と、前記設定情報の所在場所を示すコード情報を生成する生成部と、前記コード情報を出力する出力部と、前記設定情報を、設定情報を一括管理する外部のサーバ装置に送信する設定送信部とを備える。【００１２】
本発明の第４の実施態様に係る情報処理機器間の接続設定方法は、他の機器との接続に必要な設定情報の所在場所を示すコード情報を読み取るステップと、前記コード情報を前記設定情報の所在場所に変換するステップと、前記設定情報の所在場所から前記設定情報を取得するステップと、前記取得した設定情報に基づいて接続設定を行うステップとを有する。【００１３】
本発明の第５の実施態様に係る情報処理機器間の接続設定方法は、他の機器間の接続に必要な設定情報を記憶するステップと、前記設定情報を入力するステップと、前記設定情報の所在場所を示すコード情報を生成するステップと、前記コード情報を出力するステップと、前記設定情報を、設定情報を一括管理する外部のサーバ装置に送信するステップとを有する。【００１４】
本発明の第６の実施態様に係るコンピュータプログラムは、他の機器との接続に必要な設定情報の所在場所を示すコード情報を読み取るステップと、前記コード情報を前記設定情報の所在場所に変換するステップと、前記設定情報の所在場所から前記設定情報を取得するステップと、前記取得した設定情報に基づいて接続設定を行うステップとを有し、他の機器との接続設定をコンピュータに実行させる。【００１５】
本発明の第７の実施態様に係るコンピュータプログラムは、他の機器間の接続に必要な設定情報を入力するステップと、前記設定情報の所在場所を示すコード情報を生成するステップと、前記コード情報を出力するステップと、前記設定情報を、設定情報を一括管理する外部のサーバ装置に送信するステップとを有し、情報処理機器間の接続設定をコンピュータに実行させる。
【発明の効果】
【００１６】
本発明によれば、設定情報を画像として配布する際に、設定情報の変更や量の増加に対応可能になり、設定情報が漏洩する可能性を低減させることができる。
【図面の簡単な説明】
【００１７】
【図１】本発明の第１の実施形態に係る情報処理機器間の接続設定システムの全体構成を示す構成図である。
【図２】本発明の第１の実施形態に係る情報処理機器間の接続設定システムの接続設定手続きを示すシーケンスチャート図である。
【図３】本発明の第２の実施形態に係る設定情報識別子出力装置の全体構成を示す構成図である。
【図４】本発明の第２の実施形態に係る設定情報識別子出力装置による設定情報識別子の出力処理手続きを示すシーケンスチャート図である。
【発明を実施するための形態】
【００１８】
以下、本発明の情報処理機器間の接続設定システム、通信装置、情報処理機器間の接続設定方法、及びコンピュータプログラムの実施形態について、図面を参照して詳細に説明する。
それぞれの本発明の実施形態の説明では、情報処理機器間の接続設定システム及び通信装置について詳述する。本発明の実施形態に係るコンピュータプログラムは、情報処理機器間の接続設定システム及び通信装置に含まれる各構成要素として実現するためのプログラムであることから、プログラムに関する説明は以下の説明に含まれる。
【００１９】
（第１の実施形態）
本発明の第１の実施形態に係る情報処理機器間の接続設定システム（接続設定装置）は、通信装置と設定情報配布装置とを含む。通信装置は、情報を広く配布する情報配布媒体により配信された設定情報配布装置へのＵＲＩ（Universal Resource Identifier）情報を読取る手段を有する。
媒体は印刷物や画像表示装置である。接続情報はバーコードまたは文字から成る。読取手段は、バーコードまたは文字を読取る機能を有する。
通信装置は、接続情報を用いてＵＲＩに対応するサーバから設定のための情報を読み取る手段を有する。
【００２０】
図１は、本発明の第１の実施形態に係る情報処理機器間の接続設定システムの全体構成を示す構成図である。
図１に示すように、本実施形態の情報処理機器間の接続設定システムは、通信装置１（本発明の実施形態に係る通信装置）と、バーコード３と、サーバ２と、を備える。
通信装置１は、画像読み取り部１１（読取部、第１読取部、第２読取部、変換部）と、通信部１２（送信部）と、設定入手部１３（取得部）と、設定部１４（接続設定部）と、を備える。
サーバ２は、要求された設定情報を配信する設定情報配付部２１を備える。
バーコード３は、一般的には二次元コードであり、例えば、バーコードや、ＱＲコード（マトリックス型二次元コード）であって良い。
通信装置１は、通信部１２を介して Internetのようなネットワークに接続することができる。通信部１２は、ＬＡＮ（Ｌｏｃａｌ  Ａｒｅａ  Ｎｅｔｗｏｒｋ）のような有線接続手段であってもよいし、IEEE 802.11 無線ＬＡＮ規格で規定される無線接続手段であっても良い。
【００２１】
画像読み取り部１１は、画像（ここではバーコード３）を読み取って、その情報を解析する。画像読み取り部１１は、例えば、ＯＣＲ（光学式文字読み取り装置）のように文字情報を読み取っても良い。画像読み取り部１１は、バーコードやＱＲコードを読み取って情報を取得しても良い。本実施形態では、画像読み取り部１１は、ＱＲコードに記載されたＵＲＩを読み取る。
設定入手部１３は、画像読み取り部１１が読み取った情報を基に、接続設定に関するデータを入手する。例えば、設定入手部１３は、ＨＴＴＰ（HyperText Transfer Protocol）クライアントの一種であって、サーバ２にはＨＴＴＰプロトコルでもって接続し、設定に関する情報をダウンロードすることができる。
設定部１４は、設定入手部１３が取得した情報を使用して、通信装置１を、他機器（例えば、プロジェクタ）に接続するための接続設定を行う。
【００２２】
バーコード３は、ここでは、前述のとおり、設定情報の取得に必要なＵＲＩが記載されたＱＲコードである。バーコード３は、紙などの媒体に印刷されていても良いし、ディスプレイ装置やプロジェクタ装置などの画像表示装置に表示されていても良い。
サーバ２は、設定情報を配布するためのサーバである。一般的には、サーバ２はウェブサーバであるが、ＦＴＰ（File Transfer Protocol）サーバなどの他の種類のサーバであっても良い。
設定情報配布部２１は、通信装置１の設定情報を配布する。設定情報とは、例えば、無線ＬＡＮとの接続の際に必要な設定情報や、端末装置の利用制限情報（カメラ利用禁止など）などである。設定情報には、他機器（端末装置）との接続設定に関するあらゆる情報を含めることができる。あるいは、設定情報は、端末装置の設定を行うためのソフトウェア自体であっても良い。設定情報配布部２１は、予め設定情報を記憶しておいても良いし、通信装置１からの取得要求に応じて動的に設定情報を生成してもよい。
【００２３】
（動作の説明）
図２は、本発明の第１の実施形態に係る情報処理機器間の接続設定システムの接続設定手続きを示すシーケンスチャート図である。
以下、図１を参照しながら、図２に示すシーケンスチャート図を使用して、本実施形態に係る情報処理機器間の接続設定システムの接続設定手続きを説明する。
（ステップＡ１：バーコード読み取り）
まず、ステップＡ１では、ユーザは、通信装置１の画像読み取り部１１を使ってバーコード３を読み取る。
（ステップＡ２：ＵＲＬ取得）
次に、ステップＡ２では、画像読み取り部１１は、バーコード３の内容を解析し、設定情報取得用のＵＲＩを取得する。
【００２４】
（ステップＡ３：設定情報取得）
次に、ステップＡ３では、通信装置１は、設定入手部１３に指示して、指定されたＵＲＩに接続し、設定情報の取得を開始する。このＵＲＩは、例えば、 “http://deploy-server.example.com/someconfig.xml”などのように記載されており、この内、"deploy-server.example.com" がサーバ２を指しているとする。これにより、設定入手部１３は、通信部１２に指示し、ＨＴＴＰプロトコルを使用してサーバ２に接続し、上記ＵＲＩを送信して設定情報の取得を要求する。
（ステップＡ４：設定情報取得）
次に、ステップＡ４では、サーバ２は、上記情報取得要求を受信する。より具体的には、サーバ２は、設定情報配布部２１に指示して設定情報を取得する。
【００２５】
（ステップＡ５：設定情報返却）
次に、ステップＡ５では、サーバ２は、その取得した設定情報を含む応答を通信装置１に送信する。この際、サーバ２は何らかの端末装置認証（ユーザ／パスワードなど) を行うことができる。サーバ２は、ＨＴＴＰＳなどの暗号化された通信チャネルを用いることもできる。上記ＵＲＩの例の場合は、そのＵＲＩが設定情報を保持するＸＭＬ（eXtensible Markup Language）ファイルを指しており、設定情報配布部２１はサーバ２の持つストレージ上に静的に保存されているＸＭＬファイルを返す。
【００２６】
例えば、そのＵＲＩが、“http://deploy-server.example.com/cgi-bin/getconfig.cgi?paramer=abcde”のように構成されていて、設定情報配布部２１上のＣＧＩ（Common Gateway Interface）ソフトウェアを起動して設定情報を返却する構成にすることも可能である。この場合、設定情報配布部２１は、ＣＧＩソフトウェアを起動して設定情報を動的に生成し、その生成された設定情報を返却する。このＣＧＩにはオプションで任意のパラメータ(この例ではparameter=abcde)を付与することもできて、ＣＧＩは、この情報を使用して動的に設定情報を生成することができる。
例えば、ＵＲＩが “http://deploy-server.example.com/getconfig.exe” のように、設定用のアプリケーションを指していても良い。この場合、設定情報配布部２１は設定用のアプリケーションを返却しても良い。  
【００２７】
いずれのケースでも、サーバ２は設定情報とともに設定情報の種別を返却する。具体的には、種別を HTTP レスポンスの Content-type:ヘッダに含めて送信する。例えば、XMLファイルの場合は "Content-type: application/xml"とし、設定用のアプリケーション(ＯＳ（Ｏｐｅｒａｔｉｎｇ  Ｓｙｓｔｅｍ）の exe  ファイル) ならば"Content-type:application/exe"のようにする。
（ステップＡ６：設定情報）
次に、ステップＡ６では、通信装置１が、設定情報を受け取ると、この情報を設定部１４に引き渡す。
（ステップＡ７：設定）
次に、ステップＡ７では、設定部１４は、この設定情報の種別に応じて、通信装置１の設定を行う。例えば、設定情報がＸＭＬ形式の設定情報であれば、ＸＭＬの解析を行って個別の設定情報を取り出しながら設定を行う。設定部１４は、設定情報が設定用のアプリケーションであれば、このアプリケーションを起動し、設定作業を行う。
【００２８】
本実施形態に係る情報処理機器間の接続設定システムは、前述の構成により、ＱＲコードには設定情報のダウンロードに必要なＵＲＩのみを記載するので、設定情報が動的に変更される場合にあっても、一旦作成されたＱＲコードなどの情報を変更しなくても、サーバ２に、設定情報を要求し、サーバ２は、要求元に配布できるといった効果が有る。
また、ＱＲコードなどの場合、画像としてエンコードできるデータ量に限界がある（数十〜百文字程度）。しかしながら、本システムでは設定取得を別経路で行うことができるので、設定情報の量が多い場合であっても、ＱＲコードを用いた設定情報の取得や配布が可能になるといった効果が有る。
さらに、サーバ２から要求元への設定情報の配布の際に、サーバ２でユーザ認証を行った上で情報を配布することが可能である。このため、ＱＲコードに無線ＬＡＮパスワードなどの秘密情報を全て埋め込んでおくことで、情報が漏洩することを防ぐことができるといった効果が有る。  
【００２９】
（第２の実施形態）  
本発明の第２の実施形態に係る設定情報識別子出力装置は、例えば、テレビ、ＣＲＴ／液晶などを備えた表示デバイス及びプロジェクタなどに、設定情報識別子を、画像情報として表示する。
図３は、本発明の第２の実施形態に係る設定情報識別子出力装置の全体構成を示す構成図である。
図３に示すように、本実施形態に係る設定情報識別子出力装置４は、設定入力部４１（入力部）と、設定画像生成部４２（生成部）と、設定画像出力部４３（出力部）と、設定送信部４４と、無線ＬＡＮ設定ＤＢ（データベース）４５（データベース部）と、を備える。
【００３０】
設定情報識別子出力装置４は、例えば、テレビ、ＣＲＴ／液晶などを備えた表示デバイス及びプロジェクタなどに画像情報の設定情報識別子を出力する装置である。
設定入力部４１は、設定情報を入力する。この設定情報の入力方法には様々な方法が考えられる。例えば、キーボード入力によって設定情報を入力してもよい。設定情報識別子出力装置４が無線ＬＡＮ接続可能な場合、設定情報識別子出力装置４の無線ＬＡＮ設定データベースなどから設定情報を取り出して入力してもよい。特定のインターネット上のサイトに設定情報が記載されていて、そのサイトから設定をダウンロードして入力してもよい。
【００３１】
設定画像生成部４２は、設定情報が置かれているサーバのＵＲＩをバーコード３に変換する。  
設定画像出力部４３は、ディスプレイ装置やプロジェクタ装置などの画像表示装置で、バーコード３を画面に出力する。
設定送信部４４は、設定情報をＵＲＩによって示されるサーバに送信する。
無線ＬＡＮ設定ＤＢ４５は、設定情報を格納しているデータベースである。
【００３２】
（動作の説明）
図４は、本発明の第２の実施形態に係る設定情報識別子出力装置による設定情報識別子の出力処理手続きを示すシーケンスチャート図である。
以下、図３を参照しながら、図４に示すシーケンスチャート図を使用して、本実施形態に係る設定情報識別子出力装置による設定情報識別子の出力処理手続きを説明する。
（ステップＢ１：設定情報の入力）
まず、ステップＢ１では、設定入力部４１は、設定情報識別子出力装置４の無線ＬＡＮ設定ＤＢ４５から無線ＬＡＮ接続設定情報を読み取る。
（ステップＢ２：設定識別子エンコード画像生成要求）
次に、ステップＢ２では、設定入力部４１は、無線ＬＡＮ設定ＤＢ４５から読み取った無線ＬＡＮ接続設定情報を、設定画像生成部４２に引き渡す。
【００３３】
（ステップＢ３：バーコードへのエンコード）
ステップＢ３では、設定画像生成部４２は、無線ＬＡＮ接続設定情報の置かれている１つのサーバ（図示は省略）のＵＲＩを特定し、バーコード３に変換する。この場合、設定画像生成部４２にはそのサーバのＵＲＩ只１つが保持されている（埋め込まれている）と仮定しているが、これに限られない。例えば、上記の設定情報毎にＵＲＩ（即ちサーバ）を変更しても良い。
（ステップＢ４：設定識別子エンコード画像出力の要求）
次に、ステップＢ４では、設定画像生成部４２は、設定画像出力部４３に、生成されたバーコード３を出力することを要求する。
（ステップＢ５：画像出力）
ステップＢ５では、設定画像出力部４３は、バーコード３を出力する。
（ステップＢ６：設定送信の要求）
【００３４】
次に、ステップＢ６では、設定画像生成部４２は、設定送信部４４に対して、無線ＬＡＮ接続設定情報を一括管理する役割の上記サーバに設定情報を送信するように要求する。
（ステップＢ７：設定の送信）
ステップＢ７では、設定送信部４４は、上記サーバに無線ＬＡＮ接続設定情報を送信する。
これにより、上記サーバは、無線ＬＡＮ接続設定情報を自己の無線ＬＡＮ接続設定情報データベースに取り込むことができる。また、ユーザは、バーコード３を読み込み、上記サーバのＵＲＬに変換して、上記サーバにアクセスすることにより、前記無線ＬＡＮ接続設定情報を取得することができる。
【００３５】
上記のステップＢ７では、設定送信部４４は、上記サーバに無線ＬＡＮ接続設定情報と上記のバーコード３とを対応付けた情報を送信するように構成しても良い。このようにすれば、上記サーバは、無線ＬＡＮ接続設定情報を上記のバーコード３と対応付けて自己の無線ＬＡＮ接続設定情報データベースに取り込むことができる。また、ユーザは、バーコード３を読み込み、上記サーバのＵＲＬに変換して上記サーバにバーコード３を送信することにより、上記サーバから、そのバーコード３に対応した無線ＬＡＮ接続設定情報を応答として貰うことができる。
【００３６】
本実施形態に係る設定情報識別子出力装置は、前述の構成により、バーコードには設定情報のダウンロードに必要なＵＲＩのみを記載している。このため、設定情報が動的に変更される場合であっても、印刷物などの媒体上に一旦作成されたバーコードなどの情報を変更しなくてもその設定情報を配布できる効果が有る。
また、バーコードなどの場合、画像としてエンコードできるデータ量に限界がある（数十〜百文字程度）。しかしながら、本方式では設定取得を別経路で行うことができるので、設定情報の量が多い場合であっても、バーコードを用いた設定情報配布が可能になる効果が有る。
【００３７】
さらに、秘密情報の取得を別経路で行うことができると共に、この際に何らかの認証や暗号化手順を含ませることが可能である。このため、設定情報の配布の際に、バーコードなどに秘密情報を埋め込まなくても安全に設定情報を配布することができる効果が有る。
本発明の実施形態に係る通信装置１の各構成要素の処理の少なくとも一部をコンピュータ制御により実行してもよい。さらに、上記処理を、図２のシーケンスチャートで示した手順によりコンピュータに実行せしめるプログラムは、半導体メモリや、ＣＤ−ＲＯＭや磁気テープなどのコンピュータ読み取り可能な記録媒体に格納して配付してもよい。少なくともマイクロコンピュータ、パーソナルコンピュータ、汎用コンピュータを範疇に含むコンピュータが、上記の記録媒体から上記プログラムを読み出して、実行してもよい。
【００３８】
本発明の実施形態に係る設定情報識別子出力装置４の各構成要素の処理の少なくとも一部をコンピュータ制御により実行してもよい。さらに、上記処理を、図４のシーケンスチャートで示した手順によりコンピュータに実行せしめるプログラムは、半導体メモリや、ＣＤ−ＲＯＭや磁気テープなどのコンピュータ読み取り可能な記録媒体に格納して配付してもよい。少なくともマイクロコンピュータ、パーソナルコンピュータ、汎用コンピュータを範疇に含むコンピュータが、上記の記録媒体から上記プログラムを読み出して、実行してもよい。
【００３９】
この出願は、２００９年１１月２日に出願された日本出願特願２００９−２５２２５０を基礎とする優先権を主張し、その開示の全てをここに取り込む。
【産業上の利用可能性】
【００４０】
本発明に係る情報処理機器間の接続設定システム及び通信装置１は、情報処理機器間の接続設定を行う際に使用可能であり、特に、無線ＬＡＮを使用する携帯情報端末装置と各種情報処理機器との接続設定を行うために好適に使用可能である。
【符号の説明】
【００４１】
１     通信装置（本発明の実施形態に係る通信装置）
２     サーバ
３     バーコード
４     設定情報識別子出力装置
１１   画像読み取り部
１２   通信部
１３   設定入手部
１４   設定部
２１   設定情報配付部
４１   設定入力部
４２   設定画像生成部
４３   設定画像
４４   設定送信部
【図１】
2011052778.tif 000003
【図２】
2011052778.tif 000004
【図３】
2011052778.tif 000005
【図４】
2011052778.tif 000006
【手続補正書】
【提出日】平成24年5月1日(2012.5.1)
【手続補正１】
【補正対象書類名】特許請求の範囲
【補正対象項目名】全文
【補正方法】変更
【補正の内容】
【特許請求の範囲】
【請求項１】
他の機器間の接続に必要な設定情報を一括管理すると共に他装置からの要求に応じて要求された設定情報を配付するネットワーク上のサーバ装置と、前記サーバ装置に情報を送信する通信装置とを備え、
前記通信装置は、
他の機器との接続に必要な設定情報の所在場所を示す、表示または印刷されたコード情報を読み取り可能にする第１読取部と、
前記コード情報を読み取る第２読取部と、
前記コード情報を前記設定情報の所在場所に変換する変換部と、
前記設定情報の所在場所から前記設定情報を取得する取得部と、
前記設定情報に基づいて接続設定を行う接続設定部と、
を備える情報処理機器間の接続設定システム。
【請求項２】
前記コード情報に示された前記所在場所の情報は、前記サーバ装置が備える記憶場所のＵＲＩ（Ｕｎｉｖｅｒｓａｌ  Ｒｅｓｏｕｒｃｅ  Ｉｄｅｎｔｉｆｉｅｒ  ）情報であるか、若しくは前記サーバ装置のＵＲＩ情報である請求項１記載の情報処理機器間の接続設定システム。
【請求項３】
前記コード情報は、前記サーバ装置が備える設定ソフトウェアを格納する記憶場所のＵＲＩ情報であるか、若しくは前記サーバ装置のＵＲＩ情報である請求項１記載の情報処理機器間の接続設定システム。
【請求項４】
前記コード情報は、前記ＵＲＩ情報を画像情報にエンコードした情報である請求項２または請求項３記載の情報処理機器間の接続設定システム。
【請求項５】
前記通信装置は、
前記設定情報を、前記サーバ装置に送信する送信部
を更に備える請求項１乃至４のいずれか一項に記載の情報処理機器間の接続設定システム。
【請求項６】
他の機器との接続に必要な設定情報の所在場所を示すコード情報を読み取る読取部と、
前記コード情報を前記設定情報の所在場所に変換する変換部と、
前記設定情報の所在場所から前記設定情報を取得する取得部と、
前記取得した設定情報に基づいて接続設定を行う接続設定部と、
を備える通信装置。
【請求項７】
他の機器間の接続に必要な設定情報を記憶するデータベース部と、
前記設定情報を入力する入力部と、
前記設定情報の所在場所を示すコード情報を生成する生成部と、
前記コード情報を出力する出力部と、
前記設定情報を、設定情報を一括管理する外部のサーバ装置に送信する設定送信部と、
を備える設定情報識別子出力装置。
【請求項８】
他の機器との接続に必要な設定情報の所在場所を示すコード情報を読み取るステップと、
前記コード情報を前記設定情報の所在場所に変換するステップと、
前記設定情報の所在場所から前記設定情報を取得するステップと、
前記取得した設定情報に基づいて接続設定を行うステップと、
を有する情報処理機器間の接続設定方法。
【請求項９】
他の機器間の接続に必要な設定情報を記憶するステップと、
前記設定情報を入力するステップと、
前記設定情報の所在場所を示すコード情報を生成するステップと、
前記コード情報を出力するステップと、
前記設定情報を、設定情報を一括管理する外部のサーバ装置に送信するステップと、
を有する情報処理機器間の接続設定方法。
【請求項１０】
他の機器との接続に必要な設定情報の所在場所を示すコード情報を読み取るステップと、
前記コード情報を前記設定情報の所在場所に変換するステップと、
前記設定情報の所在場所から前記設定情報を取得するステップと、
前記取得した設定情報に基づいて接続設定を行うステップと、
を有し、他の機器との接続設定をコンピュータに実行させるコンピュータプログラム。
【国際調査報告】
2011052778.tif 000007
2011052778.tif 000008